【手続補正書】
【提出日】平成17年8月16日(2005.8.16)
【手続補正１】
【補正対象書類名】特許請求の範囲
【補正対象項目名】全文
【補正方法】変更
【補正の内容】
【特許請求の範囲】
【請求項１】
下記の反応によって得られるポリウレタンエラストマー：
a）  有機ジイソシアネートおよび／またはポリイソシアネート；
と、
b）  数平均分子量800g／mol〜25,000g／mol、平均官能価1.6〜2.4を有する、少なくとも1つのポリエーテルポリオール；
c）  任意に、数平均分子量800g／mol〜25,000g／mol、平均官能価2.4〜8を有する、b）とは異なる他のポリエーテルポリオール；
d）  任意に、ポリマーポリオールに対して1〜50wt％、好ましくは1〜45wt％の充填剤を含有し、ヒドロキシル価10〜149、平均官能価1.8〜8を有するポリマーポリオール；
e）  任意に、平均官能価1.8〜2.1、分子量750g／molまたはそれ以下を有する低分子連鎖延長剤、および／または平均官能価3〜4、分子量750g／molまでを有する架橋剤；
とを、
f）  アミン触媒；
および下記から成る触媒混合物：
g）  少なくとも1つの有機チタンおよび／またはジルコニウム化合物；
h）  および少なくとも1つの有機リチウムカルボキシレート；
i）  および任意に、付加的に、少なくとも1つの有機ビスマスカルボキシレート；
j）  任意に、発泡剤；および
k）  任意に、添加剤；
の存在下に反応させ、
該反応において、［成分g）におけるチタンイオン物質nTiおよび／またはジルコニウムイオン物質nZrの量］対［成分h）におけるリチウムイオン物質nLiの量］の比は0.2〜4であり、成分i）を使用する場合、［成分i）におけるビスマスイオン物質nBiの量］対［物質nTiおよび／またはnZrおよびnLiの合計量］の比は0.0001〜0.53である。
【請求項２】
請求項1に記載のポリウレタンエラストマーの製造法であって、
a）  有機ジイソシアネートおよび／またはポリイソシアネート；
と、
b）  数平均分子量800g／mol〜25,000g／mol、平均官能価1.6〜2.4を有する、少なくとも1つのポリエーテルポリオール；
c）  任意に、数平均分子量800g／mol〜25,000g／mol、平均官能価2.4〜8を有する、b）とは異なる他のポリエーテルポリオール；
d）  任意に、ポリマーポリオールに対して1〜50wt％、好ましくは1〜45wt％の充填剤を含有し、ヒドロキシル価10〜149、平均官能価1.8〜8を有するポリマーポリオール；
e）  任意に、平均官能価1.8〜2.1、分子量750g／molまたはそれ以下を有する低分子連鎖延長剤、および／または平均官能価3〜4、分子量750g／molまでを有する架橋剤；
とを、
f）  アミン触媒；
および下記から成る触媒混合物：
g）  少なくとも1つの有機チタンおよび／またはジルコニウム化合物；
h）  および少なくとも1つの有機リチウムカルボキシレート；
i）  および任意に、付加的に、少なくとも1つの有機ビスマスカルボキシレート；
j）  任意に、発泡剤；および
k）  任意に、添加剤；
の存在下に反応させ、
該反応において、［成分g）におけるチタンイオン物質nTiおよび／またはジルコニウムイオン物質nZrの量］対［成分h）におけるリチウムイオン物質nLiの量］の比は0.2〜4であり、成分i）を使用する場合、［成分i）におけるビスマスイオン物質nBiの量］対［物質nTiおよび／またはnZrおよびnLiの合計量］の比は0.0001〜0.53である
を特徴とする方法。
【請求項３】
エラストマー成形品、特に、密度180〜1100kg／m3を有する靴底の製造における、請求項1に記載のポリウレタンエラストマーの使用。
【請求項４】
請求項1に記載のポリウレタンエラストマーから製造される産業財および消費財用のエラストマー成形品、特に靴底。
【手続補正２】
【補正対象書類名】明細書
【補正対象項目名】００５４
【補正方法】変更
【補正の内容】
【００５４】
本発明のＰＵエラストマーは、単層または多層構造を有する靴底の特に有効な原料である。
本発明およびそれらの好ましい実施態様は以下の通りである。
１．下記の反応によって得られるポリウレタンエラストマー：
a）  有機ジイソシアネートおよび／またはポリイソシアネート；
と、
b）  数平均分子量800g／mol〜25,000g／mol、平均官能価1.6〜2.4を有する、少なくとも1つのポリエーテルポリオール；
c）  任意に、数平均分子量800g／mol〜25,000g／mol、平均官能価2.4〜8を有する、b）とは異なる他のポリエーテルポリオール；
d）  任意に、ポリマーポリオールに対して1〜50wt％、好ましくは1〜45wt％の充填剤を含有し、ヒドロキシル価10〜149、平均官能価1.8〜8を有するポリマーポリオール；
e）  任意に、平均官能価1.8〜2.1、分子量750g／molまたはそれ以下を有する低分子連鎖延長剤、および／または平均官能価3〜4、分子量750g／molまでを有する架橋剤；
とを、
f）  アミン触媒；
および下記から成る触媒混合物：
g）  少なくとも1つの有機チタンおよび／またはジルコニウム化合物；
h）  および少なくとも1つの有機リチウムカルボキシレート；
i）  および任意に、付加的に、少なくとも1つの有機ビスマスカルボキシレート；
j）  任意に、発泡剤；および
k）  任意に、添加剤；
の存在下に反応させ、
該反応において、［成分g）におけるチタンイオン物質nTiおよび／またはジルコニウムイオン物質nZrの量］対［成分h）におけるリチウムイオン物質nLiの量］の比は0.2〜4であり、成分i）を使用する場合、［成分i）におけるビスマスイオン物質nBiの量］対［物質nTiおよび／またはnZrおよびnLiの合計量］の比は0.0001〜0.53である。
２．触媒混合物を、成分b）〜k）の合計量に対して、0.001〜10wt％、好ましくは0.01〜0.4wt％の量で使用することを特徴とする前記第１項に記載のポリウレタンエラストマー。
３．成分g）、h）およびi）を触媒混合物として使用することを特徴とする前記第１項または第２項に記載のポリウレタンエラストマー。
４．成分g）およびh）を触媒混合物として使用することを特徴とする前記第１項または第２項に記載のポリウレタンエラストマー。
５．i）4,4'−ジフェニルメタンジイソシアネートおよび／またはカルボジイミド化によって変性した4,4'−ジフェニルメタンジイソシアネート、およびii）ヒドロキシル価10〜112を有する1つまたはそれ以上のポリエーテルポリオール、および任意に、135g／mol〜700g／molの分子量を有するポリエチレングリコールまたはポリプロピレングリコールから成るプレポリマーを、成分a）として使用することを特徴とする前記第１〜４項のいずれか1つに記載のポリウレタンエラストマー。
６．前記第１〜５項のいずれか1つに記載のポリウレタンエラストマーの製造法であって、
a）  有機ジイソシアネートおよび／またはポリイソシアネート；
と、
b）  数平均分子量800g／mol〜25,000g／mol、平均官能価1.6〜2.4を有する、少なくとも1つのポリエーテルポリオール；
c）  任意に、数平均分子量800g／mol〜25,000g／mol、平均官能価2.4〜8を有する、b）とは異なる他のポリエーテルポリオール；
d）  任意に、ポリマーポリオールに対して1〜50wt％、好ましくは1〜45wt％の充填剤を含有し、ヒドロキシル価10〜149、平均官能価1.8〜8を有するポリマーポリオール；
e）  任意に、平均官能価1.8〜2.1、分子量750g／molまたはそれ以下を有する低分子連鎖延長剤、および／または平均官能価3〜4、分子量750g／molまでを有する架橋剤；
とを、
f）  アミン触媒；
および下記から成る触媒混合物：
g）  少なくとも1つの有機チタンおよび／またはジルコニウム化合物；
h）  および少なくとも1つの有機リチウムカルボキシレート；
i）  および任意に、付加的に、少なくとも1つの有機ビスマスカルボキシレート；
j）  任意に、発泡剤；および
k）  任意に、添加剤；
の存在下に反応させ、
該反応において、［成分g）におけるチタンイオン物質nTiおよび／またはジルコニウムイオン物質nZrの量］対［成分h）におけるリチウムイオン物質nLiの量］の比は0.2〜4であり、成分i）を使用する場合、［成分i）におけるビスマスイオン物質nBiの量］対［物質nTiおよび／またはnZrおよびnLiの合計量］の比は0.0001〜0.53である
を特徴とする方法。
７．エラストマー成形品、特に、密度180〜1100kg／m3を有する靴底の製造における、前記第１〜５項のいずれか1つに記載のポリウレタンエラストマーの使用。
８．前記第１〜５項のいずれか1つに記載のポリウレタンエラストマーから製造される産業財および消費財用のエラストマー成形品、特に靴底。